(57)【要約】      （修正有）【課題】  電源装置の状態に応じて２段階の過電流検出値を設定可能とする。【解決手段】  トランジスタ２の過電流状態を検出する過電流検出回路３５であって、当該過電流検出回路３５に対して電源投入後の時間が、所定時間を超えるときに定常状態信号を出力する起動監視部３１と、第１過電流検出値と該第１過電流検出値より大きい第２過電流検出値との２段階の過電流検出値を設定可能であって、トランジスタ２の過電流状態を監視する過電流監視部３３と、負荷２５への出力電圧Ｖｏに基づいて、該出力電圧Ｖｏの異常を検出し、その検出結果を過電流監視部３３に与える出力電圧監視部３４とを備え、過電流監視部３３は、出力電圧Ｖｏが異常であり、且つ定常状態信号が出力されているとき、過電流検出値として第１過電流検出値を設定する一方、出力電圧Ｖｏが正常であるか、又は起動状態信号が出力されているとき、過電流検出値として第２過電流検出値を設定する。【選択図】      図１
2005323413.tif 000002
【特許請求の範囲】
【請求項１】
負荷に電流を出力するスイッチング素子の過電流状態を検出する過電流検出回路であって、
当該過電流検出回路に対して電源投入してからの時間が、所定時間を超えるときに定常状態信号を出力する一方、前記所定時間未満のときに起動状態信号を出力する起動監視部と、
第１過電流検出値と該第１過電流検出値より大きい第２過電流検出値との２段階の過電流検出値を設定可能であって、前記スイッチング素子の過電流状態を監視する過電流監視部と、
前記負荷への出力電圧に応じた電圧を所定電圧と比較することにより、前記出力電圧の正常／異常を検出し、その検出結果を前記過電流監視部に与える出力電圧監視部とを備え、
前記過電流監視部は、前記出力電圧が異常であり、且つ前記定常状態信号が出力されているとき、前記過電流検出値として前記第１過電流検出値を設定する一方、前記出力電圧が正常であるか、又は前記起動状態信号が出力されているとき、前記過電流検出値として前記第２過電流検出値を設定することを特徴とする過電流検出回路。
【請求項２】
前記出力電圧監視部は、前記出力電圧に応じた電圧の大きさと所定の検出電圧の大きさとを比較し、前記出力電圧に応じた電圧の大きさが前記検出電圧の大きさより大きいときには、前記出力電圧は正常であると検出する一方、前記出力電圧に応じた電圧の大きさが前記検出電圧の大きさより小さいときには、前記出力電圧は異常であると検出して、その検出結果を前記過電流監視部に与えることを特徴とする請求項１に記載の過電流検出回路。
【請求項３】
前記起動監視部は、当該過電流検出回路に対して電源投入してからの時間に対応する電圧を出力しつつ前記電源投入時における前記出力電圧の立ち上がりがソフトスタートするように前記スイッチング素子を制御するソフトスタート回路を備えるとともに、
該ソフトスタート回路の出力する電圧に基づいて、前記定常状態信号または前記起動状態信号を出力することを特徴とする請求項１または請求項２に記載の過電流検出回路。
【請求項４】
前記起動監視部は、前記電源投入後において容量性素子に所定の電流を流すことによって生じた電圧に基づいて、前記定常状態信号または前記起動状態信号を出力することを特徴する請求項１または請求項２に記載の過電流検出回路。
【請求項５】
前記第１過電流検出値及び前記第２過電流検出値は、前記スイッチング素子への入力電圧を基準として定められていることを特徴する請求項１または請求項２に記載の過電流検出回路。
【請求項６】
前記過電流監視部が出力する、前記スイッチング素子の過電流状態に関わる信号に応じて、前記スイッチング素子を制御する制御部を更に備えていることを特徴する請求項１〜請求項５の何れかに記載の過電流検出回路。
【請求項７】
請求項１〜請求項６の何れかに記載の過電流検出回路と、
前記スイッチング素子と、
前記スイッチング素子の出力側の電圧を平滑化して前記負荷へ出力する平滑回路とを備えたことを特徴とする電源装置。
【発明の詳細な説明】
【技術分野】
【０００１】
本発明は、電源装置等に用いられる過電流検出回路に関する。特に負荷に電流を出力するスイッチング素子を備えた電源装置等に用いられる過電流検出回路に関する。また、本発明は、その過電流検出回路を有する電源装置に関する。
【背景技術】
【０００２】
図４は、従来の過電流検出回路を備えた電源装置１００の電気的構成を示した図である。入力電圧ＶａがＰチャンネル（Ｐ形半導体）のＭＯＳトランジスタ（絶縁ゲート型の電界効果トランジスタ）１０１のソース電極に供給され、そのドレイン電極は、ダイオード１０５のカソード及び過電流検出回路１０４の入力側に接続されるとともに、インダクタ１０６を介してコンデンサ１０７の一端と負荷１０２の一端に接続されている。ダイオード１０５のアノード、コンデンサ１０７の他端及び負荷１０２の他端はそれぞれ接地されている。
【０００３】
過電流検出回路１０４は、ＭＯＳトランジスタ１０１のドレイン電極の電圧と自身の内部に設けられた基準電圧とを比較することにより、ＭＯＳトランジスタ１０１のドレイン電流が過電流となっていないか（前記基準電圧により定まる過電流検出値以上となっていないか）を監視し、その結果を制御部１０３に与える。制御部１０３は、負荷１０２に印加される出力電圧ＶＬを監視して、該出力電圧ＶＬが一定になるように、ＭＯＳトランジスタ１０１のゲート電極の電圧を制御する。また、制御部１０３は、過電流検出回路１０４の出力を受けることにより、ＭＯＳトランジスタ１０１の過電流状態を認知する。また、入力電圧Ｖａは、制御回路１０３及び過電流検出回路１０４にも、それぞれの電源電圧として与えられている。
【０００４】
この電源装置１００における過電流保護の方式としては、主に３つの方式（後述する第１の方式乃至第３の方式）が存在する。第１の方式は、一度過電流を検知すると、その後ＭＯＳトランジスタ１０１の遮断状態が維持されるようにする方式である。この遮断状態を解除するためには、一旦入力電圧Ｖａの供給を止めてから、再度入力電圧Ｖａを投入する必要がある。
【０００５】
しかし、上記第１の方式を採用すると、電源装置１００の起動時に流れる比較的大きな電流（突入電流）によって、その過電流保護が機能してしまった場合、出力電圧ＶＬが０Ｖになってしまい、電源装置１００が起動しない（起動不良が起こる）。この起動不良は、負荷１０２の入力容量が大きい場合は顕著である。
【０００６】
また、仮にそのような起動不良を解消するために、過電流検出回路１０４における過電流検出値を突入電流の最大値より大きく設定すると、負荷１０２が変動等に起因して過電流検出値に近い電流（究極的には過電流検出値と等しい電流）がＭＯＳトランジスタ１０１に流れ続けても、ＭＯＳトランジスタ１０１が遮断されない。このことは、ＭＯＳトランジスタ１０１だけでなく、ダイオード１０５、インダクタ１０６及び負荷１０２等の破損（熱破損）を招き、電源装置１００の信頼性を低下させる。また、それら部品の破損を防止するためには、パワーＭＯＳトランジスタ１０１、ダイオード１０５、インダクタ１０６（場合によっては、負荷１０２）等に電流定格を大きなものを採用せざるを得ず、実装面積の増大やコストアップを招く。
【０００７】
第２の方式は、定電流垂下方式と呼ばれるもので、出力電圧ＶＬの如何によらずＭＯＳトランジスタ１０１のドレイン電流が一定値（つまり、過電流検出値）以上とならないように制御する方式である。この第２の方式において、例えば負荷１０２が短絡した場合は、ＭＯＳトランジスタ１０１の遮断状態が維持されることなく、ＭＯＳトランジスタ１０１のドレイン電流は過電流検出値（または、過電流検出値以下）に維持される。この第２の方式を採用すると、第１の方式で見られるような起動不良は起こらない。
【０００８】
また、第３の方式は、下記特許文献１に示すように、所定時間により動作モードを切り換えるもので、リモートON／OFF端子からの電源起動信号をスイッチングコントロール部が入力して、メインスイッチング部が動作を開始し、メインスイッチング部の電流を検出し、過電流が発生すると過電流保護回路が作動してスイッチングコントロール部を制御する電源装置において、当該電源起動信号を入力し、タイマー設定時間ｔ１以内では「過負荷時の過電流保護設定値」を送出し、タイマー設定時間ｔ１経過後では定格出力の「定常の過電流保護設定値」に切り換える信号を過電流保護回路に出力するタイマー回路を設けたことを特徴とする過電流保護機能を有する電源装置が開示されている（例えば、特許文献１を参照）。
【特許文献１】特開平８−６５８７９号公報
【発明の開示】
【発明が解決しようとする課題】
【０００９】
一般的に、上記第２の方式における過電流検出値は、電源起動時の突入電流の最大値よりもやや大きくするか、あるいは同程度としており、これによって上記第１の方式で見られるような起動不良を起こすことなく、速やかな電源起動を実現している。しかしながら、この過電流検出値は定常状態（出力電圧ＶＬが一定の目標電圧に安定化された状態）にとっては必要以上に大きすぎるものであり、定常状態において負荷１０２が短絡等した場合は、その必要以上に大きい過電流検出値に相当するドレイン電流がＭＯＳトランジスタ１０１に流れ続けるため、結局、上述したような電源装置の信頼性の低下や、実装面積の増大、コストアップを招く。
【００１０】
また、特許文献１に記載の従来構成例においては、タイマー設定時間ｔ１経過後では、定格出力の「定常の過電流保護設定値」に切り換える信号が過電流保護回路に与えられる。つまり、タイマー設定時間ｔ１経過後は、「定常の過電流保護設定値」に固定される。
【００１１】
ところが、負荷が必要とする電流は一定ではなく、起動時以外でも短時間（例えば、数ｍｓｅｃ）に大きな電流（充電電流）を必要とする容量性負荷やサージ状の大電流を引き込むモータ等が負荷として接続されることも一般的である。特許文献１に記載の従来構成例において、起動時以外にこのような大きな電流が流れると過電流保護が機能してしまい、出力電圧が一時的（例えば、数ｍｓｅｃ）に定格（目標電圧）に達しなくなったり、保護機能の特性によっては出力電圧が０Ｖになったりしてしまう。
【００１２】
一時的（例えば、数ｍｓｅｃ）であっても出力電圧が定格に達しなくなるということは、特にマイコン等を含む負荷の安定動作にとっては致命的である。また、「起動時以外に大きな電流が流れることにより過電流保護が機能してしまい、一時的であっても出力電圧が定格に達しなくなる」という問題は、特許文献１に記載の従来構成例においてのみ生じるものではなく、図４における従来例で上記第２の方式を採用し、その過電流検出値を無理に小さく設定した場合にも生じるものである。
【００１３】
本発明は、上記の点に鑑み、電源装置等の状態に応じて最適な過電流保護を実現できる過電流検出回路を提供することを目的とする。また、本発明は、その過電流検出回路を有する電源装置を提供することを目的とする。
【課題を解決するための手段】
【００１４】
上記目的を達成するために本発明に係る過電流検出回路は、負荷に電流を出力するスイッチング素子の過電流状態を検出する過電流検出回路であって、当該過電流検出回路に対して電源投入してからの時間が、所定時間を超えるときに定常状態信号を出力する一方、前記所定時間未満のときに起動状態信号を出力する起動監視部と、第１過電流検出値と該第１過電流検出値より大きい第２過電流検出値との２段階の過電流検出値を設定可能であって、前記スイッチング素子の過電流状態を監視する過電流監視部と、前記負荷への出力電圧に応じたを所定電圧と比較することにより、前記出力電圧の正常／異常を検出し、その検出結果を前記過電流監視部に与える出力電圧監視部とを備え、前記過電流監視部は、前記出力電圧が異常であり、且つ前記定常状態信号が出力されているとき、前記過電流検出値として前記第１過電流検出値を設定する一方、前記出力電圧が正常であるか、又は前記起動状態信号が出力されているとき、前記過電流検出値として前記第２過電流検出値を設定する。
【００１５】
このように構成することにより、負荷等の短絡に起因して出力電圧が異常となり、且つ定常状態信号が出力されているとき（即ち、起動時ではないとき）には、過電流検出値として比較的小さな値を有する第１過電流検出値が設定される。従って、スイッチング素子及び負荷に安定化電圧を供給するために用いられる部品（ダイオードやインダクタであり、図１においてはダイオード２２やインダクタ２３等）等の発熱は比較的小さなものに抑えられ、当該過電流検出回路を備えた電源装置の信頼性を向上せしめることができる。
【００１６】
また、スイッチング素子や、負荷に安定化電圧を供給するために用いられる部品として、電流定格も小さなものを採用できるようになるため、実装面積の軽減やコストダウンを実現することができる。
【００１７】
また、起動時においては、起動監視部が起動状態信号を出力するため、過電流検出値として比較的大きな値を有する第２過電流検出値が設定される。従って、この第２過電流検出値を適当に設定すれば（例えば、電源起動時の突入電流の最大値よりもやや大きくするか、あるいは同程度とすれば）、上記従来の第１の方式で見られるような起動不良を起こさせることがなく、速やかに出力電圧を目標とする電圧に到達させることができる。
【００１８】
また、出力電圧が正常であるとき（即ち、出力電圧が一定電圧以上に立ち上がっており、負荷に短絡等の異常が発生していないとき）は、過電流検出値として比較的大きな値を有する第２過電流検出値が設定される。従って、起動時以外でも短時間（例えば、数ｍｓｅｃ）に大きな充電電流を必要とする容量性負荷やサージ状の大電流を引き込むモータ等が負荷となっていても、過電流保護動作は機能せず、出力電圧が一時的（例えば、数ｍｓｅｃ）に定格に達しなくなるという事態を引き起こすこともない。
【００１９】
この際、過電流検出回路を備えた電源装置の信頼性を維持するためには、例えば長時間（例えば、１分）にわたって負荷を短絡してもスイッチング素子等が破損しないことが必要となる。そして、例えばその必要性を満たすように上記第１過電流検出値は設定されることとなる。即ち、第１過電流検出値に相当する電流を長時間（例えば、１分）にわたってスイッチング素子に流しても、スイッチング素子等は破損（熱破損）することはないのである。
【００２０】
従って、出力電圧が正常である（即ち、出力電圧が一定電圧以上に立ち上がっており、負荷に短絡等の異常が発生していない）ときに、容量性負荷等に第１過電流検出値を超える第２過電流検出値電流を流しても、それが短時間（例えば、数ｍｓｅｃ以下）であれば、スイッチング素子等は破損（熱破損）することはないため、電源装置の高い信頼性は維持される。
【００２１】
また、例えば上記構成において、前記出力電圧監視部は、前記出力電圧に応じた電圧の大きさと所定の検出電圧の大きさとを比較し、前記出力電圧に応じた電圧の大きさが前記検出電圧の大きさより大きいときには、前記出力電圧は正常であると検出する一方、前記出力電圧に応じた電圧の大きさが前記検出電圧の大きさより小さいときには、前記出力電圧は異常であると検出して、その検出結果を前記過電流監視部に与えるようにしてもよい。
【００２２】
また、例えば上記構成において、前記起動監視部は、当該過電流検出回路に対して電源投入してからの時間に対応する電圧を出力しつつ前記電源投入時における前記出力電圧の立ち上がりがソフトスタートするように前記スイッチング素子を制御するソフトスタート回路を備えるとともに、該ソフトスタート回路の出力する電圧に基づいて、前記定常状態信号または前記起動状態信号を出力するようにしてもよい。
【００２３】
一般的な電源装置は、ソフトスタート回路を備えている。従って、上記構成とすることにより、上記起動監視部を構成するにあたって別途タイマー回路等を設ける必要がなく、上記特許文献１に記載の構成に比べて、回路の簡素化、実装面積の低減及びコストダウンを実現することができる。
【００２４】
また、例えば上記構成において、前記起動監視部は、前記電源投入後において容量性素子に所定の電流を流すことによって生じた電圧に基づいて、前記定常状態信号または前記起動状態信号を出力するようにしてもよい。
【００２５】
上記「電源投入後において容量性素子に所定の電流を流すことによって生じた電圧」は、一般的な電源装置に備えられているソフトスタート回路等が出力可能である。従って、上記起動監視部を構成するにあたって別途タイマー回路等を設ける必要がないため、上記特許文献１に記載の構成に比べて、回路の簡素化、実装面積の低減及びコストダウンを実現することができる。
【００２６】
また、例えば上記構成において、前記第１過電流検出値及び前記第２過電流検出値は、前記スイッチング素子への入力電圧を基準として定められている。
【００２７】
また、例えば上記構成において、前記過電流監視部が出力する、前記スイッチング素子の過電流状態に関わる信号に応じて、前記スイッチング素子を制御する制御部を更に備えるようにしてもよい。
【００２８】
また、本発明に係る電源装置は、上記構成の過電流検出回路と、前記スイッチング素子と、前記スイッチング素子の出力側の電圧を平滑化して前記負荷へ出力する平滑回路とを備えている。
【００２９】
上記電源装置は、上記構成の過電流検出回路を備えているため、上述したように電源装置の信頼性が高くなる。また、スイッチング素子や平滑回路を構成する部品として、電流定格も小さなものを採用できるようになるため、実装面積の軽減やコストダウンを実現することができる。
【発明の効果】
【００３０】
上述した通り、本発明に係る過電流検出回路によれば、電源装置等の状態に応じて最適な過電流保護を実現できる。これにより、電源装置等の信頼性を向上させることができるとともに、電源装置等の実装面積の低減及びコストダウンを実現することができる。
【発明を実施するための最良の形態】
【００３１】
＜＜第１実施形態＞＞
以下、本発明に係る過電流検出回路及びこれを有する電源装置の第１実施形態について説明する。図１は、第１実施形態に係る電源装置１の回路構成図である。
【００３２】
（図１：構成の説明）
外部から供給される入力電圧Ｖｉｎは、スイッチング素子としてのＰチャンネルＭＯＳトランジスタ２のソース電極に供給され、そのドレイン電極はコンパレータ７の反転入力端子（−）、ダイオード２２のカソード及びインダクタ２３の一端に接続されている。インダクタ２３の他端は、負荷２５に印加される出力電圧Ｖｏを平滑化するためのコンデンサ２４と負荷２５との並列回路を介して接地されている。また、ダイオード２２のアノードは接地されている。このように、ＭＯＳトランジスタ２のドレイン電極から負荷２５に電流が出力（電力が供給）されるよう構成されており、ダイオード２２、インダクタ２３及びコンデンサ２４は、ＭＯＳトランジスタ２の出力側の電圧（ドレイン電極の電圧）を平滑化して負荷２５へ出力する平滑回路を構成している。
【００３３】
また、出力電圧Ｖｏは抵抗２０と抵抗２１との直列回路を介して接地されており、抵抗２０と抵抗２１の接続点は、エラーアンプ５の反転入力端子（−）及び出力電圧Ｖｏの正常／異常を監視するためのコンパレータ９の非反転入力端子（＋）に、それぞれ接続されている。電圧源１５、１６及び１７は、それぞれ誤差基準電圧Ｖｅｒ、ＳＳ（ソフトスタート）検出電圧Ｖｓｓ及び検出電圧Ｖａｂを発生している。電圧源１５、１６及び１７がそれぞれ発生した電圧は、ＧＮＤ（接地）を基準として、エラーアンプ５の第２の非反転入力端子（＋）、コンパレータ８の反転入力端子（−）及びコンパレータ９の反転入力端子（−）にそれぞれ与えられている。また、Ｖｅｒ＞Ｖｓｓの関係が成り立つ。
【００３４】
また、エラーアンプ５の第２の非反転入力端子（＋）は、抵抗１８を介して自身の第１の非反転入力端子（＋）、コンパレータ８の非反転入力端子（＋）及びコンデンサ１９の一端に接続されている。また、コンデンサ１９の他端は接地されている。
【００３５】
ＰＷＭコンパレータ４の反転入力端子（−）及び非反転入力端子（＋）には、それぞれエラーアンプ５の出力電圧及び三角波発生回路６が出力する三角波状の電圧が与えられており、ＰＷＭコンパレータ４はパルス幅変調されたＭＯＳトランジスタ２に対する制御信号をゲートドライバ３に出力する。
【００３６】
コンパレータ８の出力（α）はアンド回路１０の一方の入力端子に与えられ、コンパレータ９の出力はインバータ１４により反転された後、アンド回路１０の他方の入力端子に与えられている。アンド回路の出力（β）は、スイッチ回路を制御する制御電圧として
、スイッチ回路１３に与えられている。
【００３７】
本発明における第１過電流検出値に対応する電圧Ｖ１、第２過電流検出値に対応する電圧Ｖ２をそれぞれ出力する電源源１１、１２の各一端には入力電圧Ｖｉｎが与えられており、各他端はそれぞれスイッチ回路１３の第１固定端子、第２固定端子に接続されている。ここで、Ｖ１＜Ｖ２の関係が成り立っている（即ち、第１過電流検出値より第２過電流検出値の方が大きい）。また、スイッチ回路１３の共通端子はコンパレータ７の非反転入力端子（＋）に接続されており、コンパレータ７の出力はＭＯＳトランジスタ２の過電流状態を示す電圧としてゲートドライバ３に与えられている。ここにおいて、「過電流状態」とは、ＭＯＳトランジスタ２のドレイン電流が定められた過電流検出値（第１過電流検出値または第２過電流検出値）以上となって、コンパレータ７の出力が高電位（ハイ）となる状態をいう。
【００３８】
ゲートドライバ３の出力側は、ＭＯＳトランジスタ２のゲート電極に接続されている。ゲートドライバ３は、コンパレータ７の出力する電圧（ＭＯＳトランジスタ２の過電流状態を示す）を参照しつつ、ＰＷＭコンパレータ４が出力する制御信号に従ってＭＯＳトランジスタ２をオン／オフ制御する。
【００３９】
また、ＭＯＳトランジスタ２と、ゲートドライバ３と、ＰＷＭコンパレータ４と、エラーアンプ５と、三角波発生回路６と、コンパレータ７、８、９とアンド回路１０と、電圧源１１、１２と、スイッチ回路１３と、インバータ１４と、電圧源１５、１６、１７と、抵抗１８とは、同一のパッケージ内に設けられて一つの集積回路素子２８を構成しており、その集積回路素子２８に含まれるゲートドライバ３等は、全て入力電圧Ｖｉｎを電源として駆動している。その際、集積回路素子２８の端子ＳＳ、ＩＮＶ、ＳＷは、それぞれコンパレータ８の非反転入力端子（＋）、エラーアンプ５の反転入力端子（−）、ＭＯＳトランジスタのドレイン電極に接続されている。
【００４０】
但し、集積回路素子２８の内部に設けられる部品と外部に設けられる部品を区別したのは、あくまで例示であって、例えば、ＭＯＳトランジスタ２を集積回路素子２８の外部に設け、入力電圧Ｖｉｎ以外の電圧を電源電圧として集積回路素子２８に供給するようにしてもよいし、コンパレータ９を集積回路素子２８に設けずに集積回路素子２８の外部に接続するようにしてもよいし、コンデンサ１９を集積回路素子２８の内部に設けるようにしてもよい。尚、図１においては、スイッチ回路１３の共通端子が第１固定端子（電圧源１１側）に接続されている状態を、例示している。
【００４１】
（図１：動作の説明）
エラーアンプ５は、第１の非反転入力端子（＋）及び第２の非反転入力端子（＋）に加わる電圧の双方より、反転入力端子（−）に加わる電圧が低いという条件（以下、「条件１」という）が成立するときに、条件１が成立しない場合と比べて高い電圧を出力するように構成されており、条件１が成立するときに、条件１が成立しない場合と比べてＭＯＳトランジスタ２がオンする時間的割合が大きくなるように、ドライバー３等は構成されている。
【００４２】
出力電圧Ｖｏが抵抗２０と抵抗２１とにより分圧された電圧が、誤差基準電圧Ｖｅｒ及び端子ＳＳに加わる電圧と比較され、定常状態（出力電圧Ｖｏが目標電圧Ｖｔａｒに安定化された状態）においては、それら３つの電圧が等しくなるようにＭＯＳトランジスタ２は制御される。即ち、誤差基準電圧Ｖｅｒと抵抗２１及び抵抗２２の分圧比とにより、出力電圧Ｖｏが安定すべき目標電圧Ｖｔａｒは決定されており、主にエラーアンプ５、ＰＷＭコンパレータ４、三角波発生回路６及びゲートドライバ３から構成される制御部３０の働きによって、出力電圧Ｖｏは目標電圧Ｖｔａｒに安定化される。つまり、制御部３０は、出力電圧Ｖｏが目標電圧Ｖｔａｒで保たれるように（安定化されうように）、ＭＯＳトランジスタ２をオン／オフ制御する。
【００４３】
過電流監視部３３は、主として電圧源１１、電圧源１２、スイッチ回路１３及びコンパレータ７から構成されており、ＭＯＳトランジスタ２の過電流状態を監視する。また、上述したように、過電流監視部３３は、第１過電流検出値と該第１過電流検出値より大きい第２過電流検出値との２段階の過電流検出値が設定可能となっている。
【００４４】
出力電圧監視部３４は、主としてコンパレータ９及び電圧源１７から構成されている。抵抗２０及び抵抗２１の抵抗値をそれぞれＲ１、Ｒ２とすると、出力電圧監視部３４は、出力電圧Ｖｏの抵抗２０及び抵抗２１とによる分圧（Ｖｏ・Ｒ２／（Ｒ１＋Ｒ２）；出力電圧Ｖｏに応じた電圧）を検出電圧Ｖａｂと比較し、Ｖｏ・Ｒ２／（Ｒ１＋Ｒ２）＞Ｖａｂが成立するときには、出力電圧Ｖｏは正常であると検出する一方、Ｖｏ・Ｒ２／（Ｒ１＋Ｒ２）＜Ｖａｂが成立するときには、出力電圧Ｖｏは異常であると検出する。換言すれば、出力電圧Ｖｏを電圧（Ｖａｂ・（Ｒ１＋Ｒ２）／Ｒ２）と比較することにより、出力電圧Ｖｏの正常／異常を検出する。そして、その検出結果をインバータ１４及びアンド回路１０を介して過電流監視部３３に与えている。
【００４５】
また、電源装置１においては、出力電圧Ｖｏが正である例を示しているが、勿論出力電圧Ｖｏが負であるようにも電源装置１は変形可能である。その場合を含めて考えると、出力電圧監視部３４は、出力電圧Ｖｏの抵抗２０及び抵抗２１とによる分圧（Ｖｏ・Ｒ２／（Ｒ１＋Ｒ２）；出力電圧Ｖｏに応じた電圧）の絶対値（大きさ）を検出電圧Ｖａｂの絶対値（大きさ）と比較し、｜Ｖｏ・Ｒ２／（Ｒ１＋Ｒ２）｜＞｜Ｖａｂ｜が成立するときには、出力電圧Ｖｏは正常であると検出する一方、｜Ｖｏ・Ｒ２／（Ｒ１＋Ｒ２）｜＜｜Ｖａｂ｜が成立するときには、出力電圧Ｖｏは異常であると検出する。
【００４６】
尚、インバータ１４は出力電圧監視部３４の一部であると捉えることもできるし、上記過電流監視部３３の一部であると捉えることもできる。また、アンド回路１０は過電流監視部３３の一部であると捉えることもできる。
【００４７】
ソフトスタート回路３２は、主として電圧源１５、抵抗１８及びコンデンサ１９から構成されており、電源投入時（入力電圧Ｖｉｎの投入時）における出力電圧Ｖｏの立ち上がりがソフトスタートするように（出力電圧Ｖｏが徐々に立ち上るように）ＭＯＳトランジスタ２を制御するための回路である。このソフトスタート回路３２がなければ（即ち、抵抗１８が０オームであれば）、電源投入時において負荷２５等へ大きな突入電流が流れて、出力電圧Ｖｏが急激に立ち上がる。しかしながら、このソフトスタート回路３２とエラーアンプ５の機能とにより、電源投入時における負荷２５等への突入電流が比較的（ソフトスタート回路３２がない場合と比べて）小さくなり、出力電圧Ｖｏはソフトスタート回路３２がない場合よりも、緩やかにたち上がる（徐々に立ち上がる）。つまり「電源投入時における出力電圧Ｖｏの立ち上がりがソフトスタートする」とは、電源投入時において、ソフトスタート回路３２がない場合と比べて出力電圧Ｖｏが緩やかに立ち上がることを意味し、これにより、インダクタ２３やコンデンサ２４や負荷２５の入力電流の定格値を小さくすることができる。また、このソフトスタート回路３２の存在により、エラーアンプ５の応答遅れ等に起因する出力電圧Ｖｏのオーバーシュートが軽減される。
【００４８】
起動監視部３１は、主として上記ソフトスタート回路３２、コンパレータ８及び電源源１６から構成される。
【００４９】
過電流検出回路３５は、主として起動監視部３１、過電流監視部３３及び出力電圧監視部３４から構成されており、ＭＯＳトランジスタ２の過電流状態を検出する。また、制御部３０も過電流検出回路３５に含まれると考えてもよい。過電流検出回路３５に対する電源は、入力電圧Ｖｉｎに一致する。
【００５０】
また、ソフトスタート回路３２において、端子ＳＳとの接続点の電位は過電流検出回路３５への電源投入後、上昇し始める。その端子ＳＳに加わる電圧は、電源投入してからの時間に対応しており、その電圧の上昇率は誤差基準電圧Ｖｅｒ、抵抗１８の抵抗値及びコンデンサ１９の静電容量で定まる。換言すれば、端子ＳＳに加わる電圧は、電源投入後において容量性素子であるコンデンサ１９に、誤差基準電圧Ｖｅｒ、抵抗１８の抵抗値及びコンデンサ１９の静電容量で定まる電流を流すことによって生じた電圧である。
【００５１】
そして、端子ＳＳに加わる電圧をＳＳ検出電圧Ｖｓｓと比較した結果をコンパレータ８が出力する。つまり、起動監視部３１は、過電流検出回路３５に対して電源投入してからの時間が、検出電圧Ｖｓｓで定まる時間を超えるときに高電位（ハイ）の電圧（本発明における「定常状態信号」に相当する）をコンパレータ８から出力する一方、検出電圧Ｖｓｓで定まる時間以下（あるいは未満）のときに低電位（ロー）の電圧（本発明における「起動状態信号」に相当する）をコンパレータ８から出力する。
【００５２】
また、端子ＳＳに加わる電圧はソフトスタート回路３２が出力する電圧であるとの捉えることもできる。従って、起動監視部３１は、そのソフトスタート回路３２が出力する電圧（端子ＳＳに加わる電圧）に基づいて過電流検出回路３５に対して電源投入してからの時間を検出し、その検出された時間に応じて前記「定常状態信号」または「起動状態信号」を出力するものとも言える。また、エラーアンプ５は、ソフトスタート回路３２が出力する電圧に基づいて、電源投入時の出力電圧Ｖｏを制御する。
【００５３】
コンパレータ７の反転入力端子には、入力電圧ＶｉｎからＭＯＳトランジスタ２のオン抵抗の抵抗値Ｒｏｎとドレイン電流Ｉｄとの積を引いた電圧（Ｖｉｎ−Ｒｏｎ・Ｉｄ）が加わる。また、コンパレータ７の非反転入力端子（＋）には、アンド回路１０の出力がハイのときに（Ｖｉｎ−Ｖ２）が印加され、アンド回路１０の出力がローのときに（Ｖｉｎ−Ｖ１）が印加されるように、スイッチ回路１３は構成されている。
【００５４】
アンド回路１０の出力がハイのとき、即ち、出力電圧Ｖｏが異常であり（｜Ｖｏ・Ｒ２／（Ｒ１＋Ｒ２）｜＜｜Ｖａｂ｜が成立し）、且つコンパレータ８（起動監視部３１）より「定常状態信号」（ハイの出力信号）が出力されているとき、過電流監視部３３は、その過電流検出値として第１過電流検出値（ＩLim1）を設定する。つまり、過電流監視部３３は、電圧（Ｒｏｎ・Ｉｄ）と電圧Ｖ１とを比較し、その比較結果をゲートドライバ３に与える。ここにおける第１過電流検出値とは、ＩLim1＝Ｖ１／Ｒｏｎである。
【００５５】
そして、コンパレータ７は、Ｒｏｎ・Ｉｄ＜Ｖ１が成立するときはロー信号をゲートドライバ３に与える。このときは、ＭＯＳトランジスタ２は過電流状態でないとして、通常の制御（出力電圧Ｖｏを目標電圧Ｖｔａｒに保つ制御）を行う。
【００５６】
逆に、Ｒｏｎ・Ｉｄ＞Ｖ１（あるいはＲｏｎ・Ｉｄ≧Ｖ１）が成立するとき（過電流状態であるとき）、コンパレータ７はハイ信号をゲートドライバ３に与える。このとき、ゲートドライバ３は、過電流検出回路３５により過電流状態であることが検出されたとして、ＭＯＳトランジスタ２を遮断する。これにより、一旦Ｒｏｎ・Ｉｄ＞Ｖ１（あるいはＲｏｎ・Ｉｄ≧Ｖ１）は成立しなくなるが、制御部３０の機能により、再度ＭＯＳトランジスタ２はオンされる。そして、再びＲｏｎ・Ｉｄ＞Ｖ１（あるいはＲｏｎ・Ｉｄ≧Ｖ１）が成立すれば、再度ＭＯＳトランジスタ２は遮断される。
【００５７】
このように、ゲートドライバ３を含む制御部３０は、ＭＯＳトランジスタ２のドレイン電流Ｉｄが過電流検出値で定まる電流値（Ｖ１／Ｒｏｎ）以下になるようにＭＯＳトランジスタ２を制御している。この制御方式は、出力電圧Ｖｏの如何によらずドレイン電流を一定値以下にするものであるため、定電流垂下方式である。
【００５８】
一方、アンド回路１０の出力がローのとき、即ち、出力電圧Ｖｏが正常であるか（｜Ｖｏ・Ｒ２／（Ｒ１＋Ｒ２）｜＞｜Ｖａｂ｜が成立するか）、又はコンパレータ８（起動監視部３１）より「起動状態信号」（ローの出力信号）が出力されているとき、過電流監視部３３は、その過電流検出値として第２過電流検出値（ＩLim2）を設定する。つまり、過電流監視部３３は、電圧（Ｒｏｎ・Ｉｄ）と電圧Ｖ２とを比較し、その比較結果をゲートドライバ３に与える。ここにおける第２過電流検出値とは、ＩLim2＝Ｖ２／Ｒｏｎである。
【００５９】
そして、コンパレータ７は、Ｒｏｎ・Ｉｄ＜Ｖ２が成立するときに、ロー信号をゲートドライバ３に与え、逆に、Ｒｏｎ・Ｉｄ＞Ｖ２（あるいはＲｏｎ・Ｉｄ≧Ｖ２）が成立するとき（過電流状態であるとき）に、ハイ信号をゲートドライバ３に与える。コンパレータ７の出力に応じたゲートドライバ３を含む制御部３０の動作は、アンド回路１０の出力がハイのときと同じである。
【００６０】
尚、ＭＯＳトランジスタ２のオン抵抗の抵抗値Ｒｏｎに対して、例えば１００倍のオン抵抗の抵抗値を有する検出用ＭＯＳトランジスタ（不図示）に、ＩLim1・１／１００のドレイン電流を流すと、検出用ＭＯＳトランジスタのドレイン−ソース電極間には電圧Ｒｏｎ・ＩLim1（＝１００Ｒｏｎ・ＩLim1・１／１００）が生じる。この電圧Ｒｏｎ・ＩLim1を、自身の出力電圧Ｖ１とするようにして、電圧源１１は構成されるようにすればよい。
【００６１】
例えば、ＭＯＳトランジスタ２を、１００個の単位セルトランジスタのドレイン、ソース及びゲートをそれぞれ並列接続することにより単一のＭＯＳトランジスタとして形成し、検出用ＭＯＳトランジスタ（不図示）を、単一の単位セルトランジスタより形成するようにすれば、検出用ＭＯＳトランジスタのオン抵抗の抵抗値は約１００・Ｒｏｎとなる。但し、ＭＯＳトランジスタ２を構成する単位セルトランジスタ及び前記検出用ＭＯＳトランジスタ（不図示）を構成する単位セルトランジスタは、全て同一の半導体基板上に同一の製造プロセスを用いて形成されている。また、電圧源１２も電圧源１１と同様に構成される。
【００６２】
（図２：波形を用いた説明）
次に、電源装置１における各電圧波形、電流波形を示した図２を用いて、過電流検出回路３５及び電源装置１の動作を説明する。
【００６３】
図２において、実線４０、４１、４２、４３、４４、４５、４６は、それぞれ入力電圧Ｖｉｎの電圧波形、端子ＳＳに加わる電圧波形、コンパレータ８の出力（α；図１参照）の電圧波形、ＭＯＳトランジスタ２のドレイン電流（Ｉｄ）波形、過電流検出値、出力電圧Ｖｏの波形、アンド回路１０の出力（β；図１参照）の電圧波形を示す。
【００６４】
まず、タイミングＴ１において入力電圧Ｖｉｎが投入される。すると、コンデンサ１９の充電が開始され、端子ＳＳに加わる電圧が上昇を開始する。また、電源投入直後は、出力電圧Ｖｏは０Ｖであるため、制御部３０は、出力電圧Ｖｏを目標電圧Ｖｔａｒに上昇させるべくＭＯＳトランジスタ２を制御する。このＭＯＳトランジスタ２に対する制御により、ドレイン電流Ｉｄが流れるが、ソフトスタート回路３２の機能によってドレイン電流Ｉｄは比較的緩やかに増加し、出力電圧Ｖｏも比較的緩やかに立ち上がる（タイミングＴ１〜Ｔ３の期間を参照）。ソフトスタート回路３２の動作により、端子ＳＳに加わる電圧は、出力電圧Ｖｏとおおよそ同期して上昇することとなる。
【００６５】
また、コンパレータ８の出力（α）がロー（Ｌｏ）であるため、アンド回路１０の出力（β）もローとなる。従って、過電流検出値は第２過電流検出値（Ｖ２／Ｒｏｎ）となっている。
【００６６】
タイミングＴ２において、端子ＳＳに加わる電圧がＳＳ検出電圧Ｖｓｓに達し、コンパレータ８の出力（α）は、ローからハイに切り替わる。尚、このタイミングＴ２においては、出力電圧Ｖｏが余裕をもって正常／異常の閾値であるＶａｂ（Ｒ１＋Ｒ２）／Ｒ２を超えるように、電源装置１の各部品は構成されている。従って、この時点におけるアンド回路１０の出力（β）はローである。
【００６７】
タイミングＴ３において、ドレイン電流Ｉｄが第２過電流検出値に達すると、ＭＯＳトランジスタ２はゲートドライバ３を介して遮断されるので、ドレイン電流Ｉｄは第２過電流検出値を超えない。この第２過電流検出値は、通常、電源装置１の起動時（入力電圧Ｖｉｎが印加された後、初めて出力電圧Ｖｏが０Ｖから目標電圧Ｖｔａｒに向かう時）における突入電流の最大値よりやや大きいか、または同程度に設定される。そのように設定することにより、出力電圧Ｖｏは速やかに目標電圧Ｖｔａｒに達する。図２は、過電流保護動作の説明のために、第２過電流検出値に突入電流の最大値が達するように記載している。
【００６８】
また、起動時において、負荷２５に突入電流が流れる期間は短時間（例えば、数１０μｓｅｃ〜数ｍｓｅｃ以下）であるため、過電流検出値として比較的大きな値を有する第２過電流検出値を設定していても、ＭＯＳトランジスタ２、ダイオード２２及びインダクタ２３等の発熱量は少ない（同時に、集積回路素子２８全体の発熱量は少ない）。従って、それらの部品が破損（熱破損）することはないため、電源装置１の高い信頼性は維持される。
【００６９】
タイミングＴ４において、出力電圧Ｖｏが目標電圧Ｖｔａｒに達する。タイミングＴ４〜Ｔ５の間は、出力電圧Ｖｏが目標電圧Ｖｔａｒに安定化された定常状態となっており、起動時におけるような突入電流は流れていないため、ドレイン電流Ｉｄは比較的小さな値になっている。
【００７０】
タイミングＴ５において、負荷２５が短絡されたとすると、出力電圧ＶｏはＶａｂ（Ｒ１＋Ｒ２）／Ｒ２より小さい０Ｖまで降下する。このとき、コンパレータ９の出力はローとなるから、アンド回路１０の出力（β）はハイとなる。その結果、過電流検出値は、第１過電流検出値（Ｖ１／Ｒｏｎ）に切り替わる。
【００７１】
そうすると、出力電圧Ｖｏが０Ｖであるのにも拘らず、ドレイン電流Ｉｄの最大値は第２過電流検出値よりも小さな第１過電流検出値に抑えられることとなる（タイミングＴ５〜Ｔ６間を参照）。仮にタイミングＴ５〜Ｔ６の期間が長時間（例えば、１分間）に及んでも、ＭＯＳトランジスタ２やダイオード２２、インダクタ２３等が破損しないような値を第１過電流検出値として設定しておけば、電源装置１の信頼性は極めて高くなる。
【００７２】
また、第１過電流検出値を適切に設定することにより、電源装置１の信頼性を維持しつつも、ＭＯＳトランジスタ２、ダイオード２２及びインダクタ２３等の部品に、電流定格のより小さなものを採用できるようになるため、実装面積の低減やコストダウンを実現することも可能である。
【００７３】
タイミングＴ６において、負荷２５の短絡が解除され、出力電圧Ｖｏは再び上昇を開始する。
【００７４】
続いて、タイミングＴ７において、出力電圧ＶｏがＶａｂ（Ｒ１＋Ｒ２）／Ｒ２に達し、アンド回路１０の出力（β）がローに切り替わるとともに、過電流検出値が第２過電流検出値に切り替わる。その後、タイミングＴ７とタイミングＴ８の間において、出力電圧Ｖｏは再度、目標電圧Ｖｔａｒに達する。
【００７５】
尚、タイミングＴ６以降に、出力電圧Ｖｏが目標電圧Ｖｔａｒまで上昇する過程においては、出力電圧Ｖｏの立ち上がりがソフトスタートするようになっていないが、ソフトスタートするようにするには、以下（１）及び（２）を満たすように、図１における回路を変形すればよい。
（１）タイミングＴ５におけるように、出力電圧Ｖｏが０Ｖとなっている状態においては、ＳＳ端子に加わる電圧が一旦、０Ｖに落ちるようにする。
（２）電源投入後、一度コンパレータ８の出力がハイになれば、以後アンド回路１０の一方の入力端子（インバータ１４の出力が接続されていない入力端子）には、常時ハイ信号が加わるようにするラッチ回路（不図示）を、コンパレータ８の出力からアンド回路１０の一方の入力端子に伸びる線路に挿入する。
【００７６】
次に、タイミングＴ８において、負荷２５の必要とする電流が増大し、一時的に出力電圧Ｖｏが目標電圧Ｖｔａｒ未満になる（但し、Ｖａｂ（Ｒ１＋Ｒ２）／Ｒ２以上）とする。すると、制御部３０は、ドレイン電流Ｉｄを第１過電流検出値より大きな値にまで増加させて、出力電圧Ｖｏを目標電圧Ｖｔａｒに一致させようとする（タイミングＴ８〜Ｔ９の期間）。このときにおいては、過電流検出値としては第２過電流検出値が設定されているため、過電流保護機能は動作せず、出力電圧Ｖｏは速やかに目標電圧Ｖｔａｒに回復する。
【００７７】
十分に長い時間で平均した負荷２５の消費電流は安定的であっても、短時間（例えば、数ｍｓｅｃ等）に着目すれば、起動時以外でも負荷２５が必要とする電流が大きく変動することは通常である。この変動は、負荷２５が起動時以外でも短時間（例えば、数ｍｓｅｃ）に大きな充電電流を必要とする容量性負荷である場合やサージ状の大電流を引き込むモータ等である場合は顕著である。しかし、過電流検出値として比較的大きな値の第２過電流検出値が設定されているため、そのような変動によっては過電流保護動作が機能せず、出力電圧Ｖｏは常に目標電圧Ｖｔａｒに維持される（厳密には、速やかに目標電圧Ｖｔａｒに回復する）。
【００７８】
＜＜第２実施形態＞＞
次に、本発明に係る過電流検出回路及びこれを有する電源装置の第２実施形態について説明する。図３は、第２実施形態に係る電源装置５１の回路構成図である。図３において、図１と同一の部分は同一の符号を付して説明を省略する。
【００７９】
電源装置５１が、電源装置１と相違する点のみを説明する。電源装置５１においては、集積回路素子２８に代えて集積回路素子５８が備えられおり、集積回路素子５８には、ＭＯＳトランジスタ２に相当するスイッチング素子は設けられていない。ＭＯＳトランジスタ２に相当するスイッチング素子としては、集積回路素子５８の外部にＰチャンネルのＭＯＳトランジスタ５２が備えられている。ゲートドライバ３の出力は、このＭＯＳトランジスタ５２のゲート電極に与えられており、ゲートドライバ３はＭＯＳトランジスタ５２のオン／オフ制御を行う。
【００８０】
入力電圧Ｖｉｎは、抵抗値がＲ３の抵抗５３を介してＭＯＳトランジスタ５２のソース電極に与えられ、ＭＯＳトランジスタ５２のドレイン電極は、ダイオード２２のカソード及びインダクタ２３の一端に接続されている。また、抵抗５３とＭＯＳトランジスタ５２のソース電極との接続点は、コンパレータ７の反転入力端子（−）に接続されている。
【００８１】
また、電源装置１におけるソフトスタート回路３２に代えてソフトスタート回路３６が設けられている。このソフトスタート回路３６は、主として定電流源６０、抵抗６１及びコンデンサ１９から構成されている。定電流源６０の一端には電圧Ｖｉｎが与えられており、定電流源６０の他端は、抵抗６１を介してエラーアンプ５の第１の非反転入力端子（＋）、コンパレータ８の非反転入力端子（＋）、及び端子ＳＳに共通接続されている。端子ＳＳは、電源装置１と同様、コンデンサ１９を介して接地されている。尚、電源装置１では設けられていた抵抗１８は、電源装置５１では存在しない。
【００８２】
定電流源６０の出力する一定の電流により、電源投入時にコンデンサ１９が充電される。このソフトスタート回路３６は、電源装置１におけるソフトスタート回路３２と同様の機能を有するものであり、電源投入時（入力電圧Ｖｉｎの投入時）における出力電圧Ｖｏの立ち上がりがソフトスタートするように（出力電圧Ｖｏが徐々に立ち上るように）ＭＯＳトランジスタ５２を制御するための回路である。
【００８３】
起動監視部３７は、主として上記ソフトスタート回路３６、コンパレータ８及び電源源１６から構成され、電源装置１における起動監視部３９と同様の動作を行う。過電流検出回路３８は、主として起動監視部３７、過電流監視部３３及び出力電圧監視部３４から構成されており、ＭＯＳトランジスタ５２の過電流状態を検出する。また、制御部３０も過電流検出回路３８に含まれると考えてもよい。過電流検出回路３８に対する電源は、入力電圧Ｖｉｎに一致する。
【００８４】
上記のように構成した場合は、ＭＯＳトランジスタ５２のドレイン電流Ｉｄと抵抗５３の抵抗値Ｒ３との積である電圧（Ｒ３・Ｉｄ）が、電圧Ｖ１または電圧Ｖ２と比較されることとなる。即ち、過電流検出回路３５にとっては、コンパレータ７により電圧Ｖ１または電圧Ｖ２と比較される電圧が、電圧（Ｒ３・Ｉｄ）に代わっている（第１実施形態においては電圧（Ｒｏｎ・Ｉｄ））だけである。
【００８５】
従って、電源装置５１のように構成しても、電源装置１と同様の動作が実現され、電源装置１と同様に信頼性向上等、様々な効果が得られる。また、電源装置５１のように構成した場合は、ＭＯＳトランジスタ５２のオン抵抗の抵抗値に関係なく、正確に過電流検出を行うことができる（なぜなら、抵抗値Ｒ３とドレイン電流Ｉｄとの積に基づいて過電流検出を行うから）。従って、ＭＯＳトランジスタに代えて、接合型電界効果トランジスタやバイポーラトランジスタをスイッチング素子として採用することもできる。
【００８６】
また、電圧源１１、電圧源１２の双方、または一方を集積回路素子５８の外部に設けるようにして、過電流検出値を用途に合わせて自由に設定できるようにしてもよい。
【００８７】
＜＜その他、変形等＞＞
電源装置１及び電源装置５１においては、抵抗２０と抵抗２１との接続点の電圧がコンパレータ９の非反転入力端子（＋）に加わるようにしているが、出力電圧Ｖｏがそのままコンパレータ９の非反転入力端子（＋）に加わるように、図１及び図３の回路構成を変形してもよい。
【００８８】
また、電源装置１のソフトスタート回路３２と電源装置５１のソフトスタート回路３６は、相互に置換可能である。
【００８９】
また、本発明は、電源装置１（図１参照）や電源装置５１（図３）に限らず、様々なスイッチングレギュレータやＤＣ−ＤＣコンバータ等を備えた電源装置に適用可能である。更にまた、本発明は、３端子レギュレータ等のシリーズレギュレータ（ドロッパ型レギュレータ）を備えた電源装置にも適用可能である。
【産業上の利用可能性】
【００９０】
本発明は、過電流保護機能を必要とする電源装置やハイサイドスイッチ等に好適であり、特に、高い信頼性が必要となることが多い車載用の電源装置や、容量性の負荷に電流を出力する電源装置に好適である。
【図面の簡単な説明】
【００９１】
【図１】本発明の第１実施形態に係る過電流検出回路及びこれを有する電源装置の回路図である。
【図２】図１における電源装置の各電圧波形、電流波形を示す図である。
【図３】本発明の第２実施形態に係る過電流検出回路及びこれを有する電源装置の回路図である。
【図４】従来の過電流検出回路を備えた電源回路の回路図である。
【符号の説明】
【００９２】
１、５１、１００    電源装置
２、５２、１０１    ＭＯＳトランジスタ
３    ゲートドライバ
４    ＰＷＭコンパレータ
５    エラーアンプ
６    三角波発生回路
７、８、９    コンパレータ
１０    アンド回路
１１、１２、１５、１６、１７    電圧源
１３    スイッチ回路
１４    インバータ
１８、２０、２１、５３    抵抗
１９、２４、１０７    コンデンサ
２２、１０５    ダイオード
２３、１０６    インダクタ
２５、１０２    負荷
２８、５８    集積回路素子
３０、１０３    制御部
３１、３７    起動監視部
３２、３６    ソフトスタート回路
３３    過電流監視部
３４    出力電圧監視部
３５、３８、１０４    過電流検出回路
６０    定電流源
Ｖｉｎ、Ｖａ    入力電圧
Ｖｏ、ＶＬ    出力電圧
ＳＳ、ＩＮＶ、ＳＷ    端子
【図１】
2005323413.tif 000003
【図２】
2005323413.tif 000004
【図３】
2005323413.tif 000005
【図４】
2005323413.tif 000006